【手続補正書】
【提出日】平成19年2月16日(2007.2.16)
【手続補正１】
【補正対象書類名】特許請求の範囲
【補正対象項目名】全文
【補正方法】変更
【補正の内容】
【特許請求の範囲】
【請求項１】
弁体と、この弁体を回転させて弁開度を変更するステッピングモータとを備えた回転式電動弁において、前記ステッピングモータの出力回転軸の回転を遊星歯車機構によって減速して前記弁体に伝達することを特徴とする回転式電動弁。
【請求項２】
前記遊星歯車機構は、太陽歯車、この太陽歯車を取り囲む固定内歯車、及び前記太陽歯車と前記固定内歯車との間において両歯車に噛み合うように配置された遊星歯車を備えており、前記弁体が前記遊星歯車を自転可能に支持し且つ前記遊星歯車を前記太陽歯車のまわりに公転させるキャリアを兼ねていることを特徴とする請求項１記載の回転式電動弁。
【請求項３】
前記太陽歯車は前記出力回転軸に一体的に形成されていることを特徴とする請求項２記載の回転式電動弁。
【請求項４】
前記固定内歯車は前記弁座シートに固定されている筒本体に一体的に形成されていることを特徴とする請求項２記載の回転式電動弁。
【請求項５】
前記弁体における前記遊星歯車とは反対の側に、前記弁体に摺接するシート壁面及び前記弁体に対向する二つの弁口を有する弁座シートを備え、前記弁体と前記弁座シートの間に前記二つの弁口を連通させる弁路が形成され、前記弁体の回転に伴って前記弁路の流路断面積が変化することを特徴とする請求項２記載の回転式電動弁。
【請求項６】
前記二つの弁口の断面積の大きさが異なっており、前記弁体は、断面積が小さい前記弁口のみを閉鎖可能な閉鎖壁部と、この閉鎖壁部に連続するとともに前記シート壁面と協働して前記弁路を形成する通路壁部とを有しており、前記弁体の回転に伴って前記二つの弁口に対する前記通路壁部の相対位置が変化することにより前記弁路の流路断面積が変化することを特徴とする請求項５記載の回転式電動弁。
【請求項７】
前記弁座シートに固定された筒本体の内壁面に前記弁体の周面が摺接するとともに前記通路壁部が前記内壁面及び前記シート壁面と協働して前記弁路を形成することを特徴とする請求項５記載の回転式電動弁。
【請求項８】
前記弁座シートは前記出力回転軸を回転自在に支持する中心軸の一端を支持していることを特徴とする請求項５記載の回転式電動弁。
【請求項９】
前記弁体を前記弁座シートに押圧する付勢手段を備えていることを特徴とする請求項５記載の回転式電動弁。
【手続補正２】
【補正対象書類名】明細書
【補正対象項目名】０００７
【補正方法】変更
【補正の内容】
【０００７】
上記の課題を解決するため、この発明による回転式電動弁は、弁体と、この弁体を回転させて弁開度を変更するステッピングモータとを備えた回転式電動弁において、前記ステッピングモータの出力回転軸の回転を遊星歯車機構によって減速して前記弁体に伝達することを特徴とする。
【手続補正３】
【補正対象書類名】明細書
【補正対象項目名】０００８
【補正方法】変更
【補正の内容】
【０００８】
この回転式電動弁によれば、ステッピングモータの出力回転軸の回転は、遊星歯車機構によって減速された回転として弁体に伝達される。遊星歯車機構は大きな減速比を得ることができる歯車減速機として機能するので、ステッピングモータの角度分解能が変わらなくても、弁体の回転角分解能は減速の程度に応じて高くなり、弁開度を高精度に制御することが可能になる。
【手続補正４】
【補正対象書類名】明細書
【補正対象項目名】０００９
【補正方法】変更
【補正の内容】
【０００９】
この回転式電動弁において、前記遊星歯車機構は、太陽歯車、この太陽歯車を取り囲む固定内歯車、及び前記太陽歯車と前記固定内歯車との間において両歯車に噛み合うように配置された遊星歯車を備えており、前記弁体が前記遊星歯車を自転可能に支持し且つ前記遊星歯車を前記太陽歯車のまわりに公転させるキャリアを兼ねることができる。遊星歯車機構によって高い効率の減速機構が得られるが、構成部品が多くなる傾向があるので、回転式電動弁の構造の簡素化を図ることが望まれる。弁体が遊星歯車機構の遊星歯車を自転可能に支持し且つ遊星歯車を太陽歯車のまわりに公転させるキャリアを兼ねることで、回転式電動弁の部品点数の減少を図り、構造の簡素化が可能となる。
【手続補正５】
【補正対象書類名】明細書
【補正対象項目名】００１０
【補正方法】変更
【補正の内容】
【００１０】
弁体が遊星歯車機構のキャリアを兼ねた上記回転式電動弁において、前記太陽歯車を前記出力回転軸に一体的に形成することができる。また、前記固定内歯車を前記弁座シートに固定されている筒本体に一体的に形成することができる。太陽歯車を出力回転軸の一部として一体的に形成することによって、部品点数の減少を図り、構造を簡素化することができ、部品管理や組立て工数を減少することに有効である。また、固定内歯車を筒本体の一部として一体的に形成することによっても同様のことが期待される。
【手続補正６】
【補正対象書類名】明細書
【補正対象項目名】００１１
【補正方法】変更
【補正の内容】
【００１１】
弁体が遊星歯車機構のキャリアを兼ねた上記回転式電動弁において、前記弁体における前記遊星歯車とは反対の側に、前記弁体に摺接するシート壁面及び前記弁体に対向する二つの弁口を有する弁座シートを備え、前記弁体と前記弁座シートの間に前記二つの弁口を連通させる弁路が形成され、前記弁体の回転に伴って前記弁路の流路断面積を変化させることができる。電動弁の構造簡素化のため、弁開度を変更するために弁体を回転させる機構が配置される領域と、電動弁によって流量が制御される流体が流れる領域とを区分することが望まれる。円柱体状に形成した弁体の遊星歯車に面する側の反対側において、流入出用の二つの弁口を有する弁座シートを備えることで、弁体と弁座シートとの間には、出力回転軸によって弁体が回転するときに弁開度が全閉から全開の間で変更可能な周方向の弁路が形成されるので、円柱体状の弁体の各側で機能分担を図り、構造の簡素化を図ることができる。
【手続補正７】
【補正対象書類名】明細書
【補正対象項目名】００１２
【補正方法】変更
【補正の内容】
【００１２】
弁座シートを備えた上記回転式電動弁において、前記二つの弁口の断面積の大きさが異なっており、前記弁体は、断面積が小さい前記弁口のみを閉鎖可能な閉鎖壁部と、この閉鎖壁部に連続するとともに前記シート壁面と協働して前記弁路を形成する通路壁部とを有しており、前記弁体の回転に伴って前記二つの弁口に対する前記通路壁部の相対位置が変化することにより前記弁路の流路断面積を変化させることがでる。弁体が回転するときに弁開度が全閉から全開の間で変更可能にする弁体と弁座シートの具体的な組合せ構造として、製造が容易になる簡単な構造が好ましい。そこで、弁座シートについては、シート壁面に開口する態様で互いに大きさが異なる二つの弁口を形成するだけの簡単な構造に構成することができる。また、弁座シートと組み合わされる弁体についても、弁体には、弁体が回転するときに小さい方の弁口のみを閉鎖可能な大きさに形成した閉鎖壁部と、閉鎖壁部に連続するとともにシート壁面と協働して弁路を形成する通路壁部とを備える構造としたので、複雑な孔形状ではなく外側に開いた壁面のみの簡単な構造に構成することができる。弁体を回転するとき、通路壁部は両弁口に対する相対位置が変更され、弁路について定められる通路断面積、即ち、弁開度を全閉から全開までを含めて次第に変化させることができる。
【手続補正８】
【補正対象書類名】明細書
【補正対象項目名】００１３
【補正方法】変更
【補正の内容】
【００１３】
弁座シートを備えた上記回転式電動弁において、前記弁座シートに固定された筒本体の内壁面に前記弁体の周面が摺接するとともに前記通路壁部が前記内壁面及び前記シート壁面と協働して前記弁路を形成することができる。筒本体の内周壁面を弁体の周筒面を円筒面に形成することで、弁体が回転しても常に液密状に摺接させることができ、そうすることにより、内周壁面を弁体の通路壁部及び弁座シートのシート壁面と共に協働させて、弁路を定めることができる。
【手続補正９】
【補正対象書類名】明細書
【補正対象項目名】００１４
【補正方法】変更
【補正の内容】
【００１４】
弁座シートを備えた上記回転式電動弁において、前記弁座シートは前記出力回転軸を回転自在に支持する中心軸の一端を支持することができる。弁体を貫通した出力回転軸を転自在に支持する中心軸の一端を弁座シートに回転支持することで、弁座シートの軸支持との兼用を図って、出力回転軸の支持構造を簡素化することができる。また、この回転式電動弁においては、前記弁体を前記弁座シートに押圧する付勢手段を備えることができる。弁体を付勢手段によって弁座シートに押し付けることによって、流体の流れの遮断や流量制御としての安定した弁機能を確保することができる。
【手続補正１０】
【補正対象書類名】明細書
【補正対象項目名】００１９
【補正方法】変更
【補正の内容】
【００１９】
遊星歯車機構３は、太陽歯車１５と、太陽歯車１５を取り囲む固定内歯車１６と、太陽歯車１５と固定内歯車１６との間に両歯車１５，１６に噛み合うように配置された遊星歯車１７とを備えている。太陽歯車１５は、出力回転軸１２の下部に形成されている。また、固定内歯車１６は、ハウジング６に内嵌されている筒本体１８の上部に、筒本体１８の一部として形成されている。図示の例では、遊星歯車１７は、４つ配置されている。太陽歯車１５を出力回転軸１２の一部として一体的に形成し、固定内歯車１６を筒本体１８の一部として一体的に形成することによって、電動弁１の部品点数の減少を図ることができ、構造の簡素化と共に部品管理や組立て工数の減少に寄与している。
【手続補正１１】
【補正対象書類名】明細書
【補正対象項目名】００２０
【補正方法】変更
【補正の内容】
【００２０】
遊星歯車機構３において、弁体４は、遊星歯車１７を自転自在に支持すると共に遊星歯車１７と共に公転させるためのキャリアを兼ねている。太陽歯車１５と固定内歯車１６とにおける兼用と合わせて、弁体４がキャリアを兼ねることにより、構成部品が多くなる傾向にある遊星歯車機構３を用いる電動弁の構造について一層の簡素化を図ることができる。弁体４の詳細については、特に図３を参照して後述する。
【手続補正１２】
【補正対象書類名】明細書
【補正対象項目名】００２７
【補正方法】変更
【補正の内容】
【００２７】
弁口２６,２７は互いに大きさが異なっているので、弁体４が回転するとき、閉鎖壁部４１は弁口２７を閉鎖可能であるが、弁口２６については閉鎖することはない。弁体４の回転に伴って、通路壁部４２の特に螺旋壁面４３の構造に基づいて、弁口２６，２７に対する相対位置が変更されるので、弁路４０の流路断面積が変化する。流路断面積の変化によって、電動弁１の弁開度が変更される。弁体４には、閉鎖壁部４１に対応してその外側位置に係止部４９が形成されており、筒本体１８に形成されているストッパ５０と当接するときに弁体４の回転を規制する。